(57)【要約】【課題】撮像装置の消費電力の増加を最小限に抑えて、負荷の重い処理にかかる時間を短縮させること。【解決手段】ＳＤＲ−ＳＤＲＡＭはシャッタボタンのＳ２操作に応答して低速動作から高速動作に切り替えられ、表示画面に表示する画像を示す画像データや圧縮処理（処理Ｐ１５）によってデジタル圧縮された圧縮画像データを一時的に記憶する。ＤＤＲ−ＳＤＲＡＭは露光開始と同時に低消費電力動作から通常動作に切り替えられ、取り込み処理（処理Ｐ１３）において取り込まれた撮影画像データ及び信号処理（処理Ｐ１４）が施された撮影画像データを一時的に記憶する。そして圧縮処理（処理Ｐ１５）の終了と同時に通常動作から低消費電力動作に切り替えられる。【選択図】図２
2008035161.tif 000002
【特許請求の範囲】
【請求項１】
被写体を撮影して画像データを生成する撮影手段と、前記画像データの示す画像を表示画面に表示させる表示制御手段と、前記撮影手段に撮影を行わせる撮影制御手段と、該撮影によって生成された画像データを撮影画像データとして取り込む取込手段と、該撮影画像データに対して信号処理を施す信号処理手段と、該信号処理後の撮影画像データをデジタル圧縮して圧縮画像データを生成する圧縮手段とを備えた撮像装置において、
前記表示画面に表示する画像を示す画像データ及び前記圧縮画像データを一時的に記憶する第１メモリと、
前記取込手段によって取り込まれた撮影画像データ及び前記信号処理後の撮影画像データを一時的に記憶する、前記第１メモリよりデータ転送速度が速い第２メモリとを更に備えることを特徴とする撮像装置。
【請求項２】
被写体を撮影して画像データを生成する撮影手段と、前記画像データの示す画像を表示画面に表示させる表示制御手段と、前記撮影の開始を指示する指示手段と、該指示手段による撮影開始の指示に応答して前記撮影手段に撮影を行わせる撮影制御手段と、該撮影によって生成された画像データを撮影画像データとして取り込む取込手段と、該撮影画像データに対して信号処理を施す信号処理手段と、該信号処理後の撮影画像データをデジタル圧縮して圧縮画像データを生成する圧縮手段とを備えた撮像装置において、
データを一時的に記憶する第１メモリと、
データを一時的に記憶し、前記第１メモリよりデータ転送速度が速い第２メモリと、
前記撮影手段による撮影終了直後から前記圧縮画像データの生成終了までの間に次の撮影開始の指示がないとき、前記第１メモリに前記表示画面に表示する画像を示す画像データ、前記取込手段によって取り込まれた撮影画像データ、前記信号処理後の撮影画像データ及び前記圧縮画像データを一時的に記憶させ、前記撮影手段による撮影終了直後から前記圧縮画像データの生成終了までの間に次の撮影開始の指示がなされたとき、前記第１メモリに少なくとも前記表示画面に表示する画像を示す画像データ及び前記圧縮画像データを一時的に記憶させ、前記第２メモリに少なくとも前記次の撮影によって取り込まれた撮影画像データ及び該撮影画像データの前記信号処理後の撮影画像データを一時的に記憶させる記憶制御手段とを更に備えることを特徴とする撮像装置。
【請求項３】
被写体を撮影して画像データを生成する撮影手段と、前記画像データの示す画像を表示画面に表示させる表示制御手段と、通常撮影モード又は連写撮影モードの選択を受け付ける選択受付手段と、前記撮影の開始を指示する指示手段と、該指示手段による撮影開始の指示に応答して前記撮影手段に撮影を行わせる撮影制御手段と、該撮影によって生成された画像データを撮影画像データとして取り込む取込手段と、該撮影画像データに対して信号処理を施す信号処理手段と、該信号処理後の撮影画像データをデジタル圧縮して圧縮画像データを生成する圧縮手段とを備えた撮像装置において、
データを一時的に記憶する第１メモリと、
データを一時的に記憶し、前記第１メモリよりデータ転送速度が速い第２メモリと、
前記選択受付手段が通常撮影モードを受け付けたとき、前記第１メモリに前記表示画面に表示する画像を示す画像データ、前記取込手段によって取り込まれた撮影画像データ、前記信号処理後の撮影画像データ及び前記圧縮画像データを一時的に記憶させ、前記選択受付手段が連写撮影モードを受け付けたとき、前記第１メモリに前記表示画面に表示する画像を示す画像データ及び前記圧縮画像データを一時的に記憶させ、前記第２メモリに前記取込手段によって取り込まれた撮影画像データ及び前記信号処理後の撮影画像データを一時的に記憶させる記憶制御手段とを更に備えることを特徴とする撮像装置。
【請求項４】
前記第１メモリはＳＤＲ−ＳＤＲＡＭ、前記第２メモリはＤＤＲ−ＳＤＲＡＭであることを特徴とする請求項１〜３の何れか一項に記載の撮像装置。
【発明の詳細な説明】
【技術分野】
【０００１】
本発明は、被写体を撮影し、撮影によって取得した画像をデジタル化して外部記憶媒体等に記憶させる撮像装置に関する。
【背景技術】
【０００２】
近年、樹脂フィルムを用いた銀塩カメラに替わり、被写体の撮影画像に対応する画像信号をデジタル化し、そのデジタル画像データを外部記憶媒体等に記憶するデジタルカメラが多く普及している。このようなデジタルカメラにおいては、スルー画を表示画面に表示する際、及び撮影によって取得された画像データの信号処理、圧縮処理、外部記憶媒体への記憶処理の際の各種データを一時記憶先として、ＤＲＡＭ（Dynamic Random Access Memory）が用いられているが、撮影後の処理にかかる処理時間短縮に伴うデータ転送の高速化の要求に伴って、ＤＲＡＭの中でも特にＳＤＲ−ＳＤＲＡＭ（Single Data Rate Synchronous DRAM）やＤＤＲ−ＳＤＲＡＭ（Double Data Rate SDRAM）が多く用いられ始めている。
【０００３】
また、デジタルカメラの電源となる電池の動作時間を長くするために電源オン時の消費電力の低減が求められており、その一環として上記したＳＤＲＡＭの消費電力の低減が必須となっている。そこで、特許文献１〜５に開示されているようにＤＲＡＭやＳＤＲＡＭの消費電力を低減させる様々な技術が提案されている。
【特許文献１】特開平０９−６９２８９号公報
【特許文献２】特開平０９−７３７７７号公報
【特許文献３】特開平１０−２４１３５６号公報
【特許文献４】特開２００２−２８１４３０号公報
【特許文献５】特開２００４−２８７９４８号公報
【発明の開示】
【発明が解決しようとする課題】
【０００４】
例えば処理時間短縮を目的としてデータ転送の高速化を図るために、一時記憶先としてＤＤＲ−ＳＤＲＡＭのみを使用すると、ＳＤＲ−ＳＤＲＡＭに比べてＤＤＲ−ＳＤＲＡＭは消費電力が大きいため、デジタルカメラ全体の消費電力の増加に繋がってしまい、問題となっていた。そこで、撮影後の処理状況に応じてＳＤＲ−ＳＤＲＡＭとＤＤＲ−ＳＤＲＡＭを使い分ける方法が考えられるが、特許文献１〜５には、ＳＤＲ−ＳＤＲＡＭとＤＤＲ−ＳＤＲＡＭの２種類のＳＤＲＡＭを備えた場合の低消費電力化については提案されていない。
【０００５】
本発明は、上記事情を鑑みてなされたものであり、撮像装置の消費電力の増加を最小限に抑えて、負荷の重い処理にかかる時間を短縮させることを目的とする。
【課題を解決するための手段】
【０００６】
以上の課題を解決するために、第１の発明における撮像装置は、被写体を撮影して画像データを生成する撮影手段と、前記画像データの示す画像を表示画面に表示させる表示制御手段と、前記撮影手段に撮影を行わせる撮影制御手段と、該撮影によって生成された画像データを撮影画像データとして取り込む取込手段と、該撮影画像データに対して信号処理を施す信号処理手段と、該信号処理後の撮影画像データをデジタル圧縮して圧縮画像データを生成する圧縮手段とを備えた撮像装置において、前記表示画面に表示する画像を示す画像データ及び前記圧縮画像データを一時的に記憶する第１メモリと、前記取込手段によって取り込まれた撮影画像データ及び前記信号処理後の撮影画像データを一時的に記憶する、前記第１メモリよりデータ転送速度が速い第２メモリとを更に備えることとしている。
【０００７】
また、第２の発明における撮像装置は、被写体を撮影して画像データを生成する撮影手段と、前記画像データの示す画像を表示画面に表示させる表示制御手段と、前記撮影の開始を指示する指示手段と、該指示手段による撮影開始の指示に応答して前記撮影手段に撮影を行わせる撮影制御手段と、該撮影によって生成された画像データを撮影画像データとして取り込む取込手段と、該撮影画像データに対して信号処理を施す信号処理手段と、該信号処理後の撮影画像データをデジタル圧縮して圧縮画像データを生成する圧縮手段とを備えた撮像装置において、データを一時的に記憶する第１メモリと、データを一時的に記憶し、前記第１メモリよりデータ転送速度が速い第２メモリと、前記撮影手段による撮影終了直後から前記圧縮画像データの生成終了までの間に次の撮影開始の指示がないとき、前記第１メモリに前記表示画面に表示する画像を示す画像データ、前記取込手段によって取り込まれた撮影画像データ、前記信号処理後の撮影画像データ及び前記圧縮画像データを一時的に記憶させ、前記撮影手段による撮影終了直後から前記圧縮画像データの生成終了までの間に次の撮影開始の指示がなされたとき、前記第１メモリに少なくとも前記表示画面に表示する画像を示す画像データ及び前記圧縮画像データを一時的に記憶させ、前記第２メモリに少なくとも前記次の撮影によって取り込まれた撮影画像データ及び該撮影画像データの前記信号処理後の撮影画像データを一時的に記憶させる記憶制御手段とを更に備えることとしている。
【０００８】
また、第３の発明における撮像装置は、被写体を撮影して画像データを生成する撮影手段と、前記画像データの示す画像を表示画面に表示させる表示制御手段と、通常撮影モード又は連写撮影モードの選択を受け付ける選択受付手段と、前記撮影の開始を指示する指示手段と、該指示手段による撮影開始の指示に応答して前記撮影手段に撮影を行わせる撮影制御手段と、該撮影によって生成された画像データを撮影画像データとして取り込む取込手段と、該撮影画像データに対して信号処理を施す信号処理手段と、該信号処理後の撮影画像データをデジタル圧縮して圧縮画像データを生成する圧縮手段とを備えた撮像装置において、データを一時的に記憶する第１メモリと、データを一時的に記憶し、前記第１メモリよりデータ転送速度が速い第２メモリと、前記選択受付手段が通常撮影モードを受け付けたとき、前記第１メモリに前記表示画面に表示する画像を示す画像データ、前記取込手段によって取り込まれた撮影画像データ、前記信号処理後の撮影画像データ及び前記圧縮画像データを一時的に記憶させ、前記選択受付手段が連写撮影モードを受け付けたとき、前記第１メモリに前記表示画面に表示する画像を示す画像データ及び前記圧縮画像データを一時的に記憶させ、前記第２メモリに前記取込手段によって取り込まれた撮影画像データ及び前記信号処理後の撮影画像データを一時的に記憶させる記憶制御手段とを更に備えることとしている。
【０００９】
尚、上記第１〜第３の発明における撮像装置において、前記第１メモリをＳＤＲ−ＳＤＲＡＭ、前記第２メモリをＤＤＲ−ＳＤＲＡＭとしてもよい。
【発明の効果】
【００１０】
第１の発明における撮像装置においては、取込手段によって取り込まれた撮影画像データや信号処理後の撮影画像データ等のデータ量の多いデータの一時記憶先をデータ転送速度の速い第２メモリとし、表示画面に表示する画像を示す画像データ及び圧縮画像データの一時記憶先を第１メモリとすることによって、撮影後の処理にかかる時間を短縮させることができる。一般的にデータ転送速度の速いメモリデバイスは消費電力が大きいが、取込手段によって取り込まれた撮影画像データや信号処理後の撮影画像データのデータ転送を行う間は第２メモリを通常動作させて、それ以外では適宜休止状態にさせることによって、消費電力の増加を抑えることができる。
【００１１】
第２及び第３の発明における撮像装置においては、撮影指示が連続して行われたとき、撮影モードが連写撮影モードであった場合のみ、取込手段によって取り込まれた撮影画像データや信号処理後の撮影画像データ等のデータ量の多いデータの一時記憶先を第２メモリ、表示画面に表示する画像を示す画像データ及び圧縮画像データの一時記憶先を第１メモリとし、撮影指示が連続して行われなかったとき、撮影モードが通常撮影モードであった場合は各データの一時記憶先を第１メモリとして第２メモリは一時記憶先として使用しない（例えば休止状態とする）ことによって、第２メモリの使用時間を最小限に抑えて消費電力の増加を抑えつつも、負荷の重い処理を行う際の処理時間を短縮させることができる。
【発明を実施するための最良の形態】
【００１２】
以下、図面を参照して本発明の実施の形態を説明する。尚、以下の実施の形態では、本発明における撮像装置としてデジタルカメラを例に説明するが、本発明の適用範囲はこれに限定されず、例えば、デジタルビデオカメラ、カメラ付き携帯電話、カメラ付きＰＤＡ等、電子撮像機能を備えた他の電子機器に対しても適用可能である。
【００１３】
〔第１の実施の形態〕
図１はデジタルカメラ１００の機能構成の一部を示すブロック図である。ＣＣＤ（撮影手段）１１は、多数の受光素子が２次元状に配列されてなる光電面を有しており、フォーカスレンズやズームレンズ（不図示）の光学系を通過した被写体光が光電面に結像され、光電変換が行われる。ＣＣＤ１１は、外部から供給されるクロック信号に同期して画素毎に蓄積された電荷を１ラインずつシリアルのアナログ画像データとして出力する。Ａ／Ｄ変換部１２は、ＣＣＤ１１から出力されたアナログ画像データをデジタル画像データに変換する。
【００１４】
撮像制御部（撮影制御手段、取込手段）２１は、撮影待機中のときは、Ａ／Ｄ変換部１２から出力された画像データを動画処理部２２へ出力する。一方、シャッタボタン（指示手段）１９の押下による撮影指示が行われたときは、Ａ／Ｄ変換部１２から出力された画像データを撮影画像データにするためにＤＭＡコントローラ２７へ出力する。
【００１５】
動画処理部２２は、撮像制御部２１から出力された画像データをスルー画用画像データとして信号処理を施す。
【００１６】
信号処理部（信号処理手段）２３は、撮影画像データに対してガンマ補正、シャープネス補正、コントラスト補正等の画質補正処理を施すと共に、輝度信号であるＹデータと青色色差信号であるＣｂデータ及び赤色色差信号であるＣｒデータとからなるＹＣデータに変換するＹＣ処理を行う。
【００１７】
圧縮／伸長処理部（圧縮手段）２４は、信号処理部２３によって信号処理が施された撮影画像データに対して、例えばＪＰＥＧ等の圧縮方式で圧縮処理を行って圧縮画像データを生成する。更に、再生モードにおいては、外部記憶媒体１４から読み出された圧縮画像データに対して伸長処理を行う。
【００１８】
表示制御部（表示制御手段）２５は、動画処理部２２によって信号処理が施された画像データと、画面表示に関するデータであるＯＳＤデータとを合成し、合成後のデータに基づいた画像を表示画面１３に表示させる。表示画面１３は電子ビューファインダとして機能する他、撮影画像の表示（ポストビュー）や動画の再生表示、各種設定メニューの表示等を行い、ＬＣＤ（Liquid Crystal Display）やＥＬ（Electro Luminescence）ディスプレイ等によって実現される。
【００１９】
記憶制御部２６は、撮影モードのときは圧縮／伸長処理部２４で圧縮処理された圧縮画像データを外部記憶媒体１４に記憶させる処理を行い、再生モードのときは外部記憶媒体１４に記憶された圧縮画像データの読み出す処理を行う。外部記憶媒体１４は、圧縮画像データを記憶保存するためのものであり、例えばフラッシュメモリをカード型にパッケージしたメモリカード等が多く用いられている。
【００２０】
ＤＭＡ（Direct Memory Access）コントローラ（記憶制御手段）２７は、撮像制御部２１、動画処理部２２、信号処理部２３、圧縮／伸長処理部２４、表示制御部２５及び記憶制御部２６の各種機能部とＤＤＲ制御部２８及びＳＤＲ制御部２９のメモリ制御を行う機能部とがＣＰＵ３０を介さずに直接各種データのやり取りを行うための制御を行う。
【００２１】
ＤＤＲ制御部２８は、ＤＭＡコントローラ２７とＤＤＲ−ＳＤＲＡＭ（第２メモリ）１５との間のデータ転送制御、又はＣＰＵ３０とＤＤＲ−ＳＤＲＡＭ１５との間のデータ転送制御を行うと共に、ＤＤＲ−ＳＤＲＡＭ１５の通常動作又は低消費電力動作の切替制御を行う。ここで、通常動作とは、ＤＤＲ−ＳＤＲＡＭ１５に対してデータの読み書きが可能な状態を言い、低消費電力動作とは、パワーダウンモード、セルフリフレッシュモード、ＤＬＬ停止状態、バッファＨｉＺ状態等としてＤＤＲ−ＳＤＲＡＭ１５に対するデータの読み書きを休止させた状態のことを言う。
【００２２】
ＳＤＲ制御部２９は、ＤＭＡコントローラ２７とＳＤＲ−ＳＤＲＡＭ（第１メモリ）１６との間のデータ転送制御、又はＣＰＵ３０とＳＤＲ−ＳＤＲＡＭ１６との間のデータ転送制御を行うと共に、ＳＤＲ−ＳＤＲＡＭ１６の低速動作又は高速動作の切替制御を行う。ここで低速動作と高速動作の切り替えは、例えば、ＳＤＲ−ＳＤＲＡＭ１６に供給するクロック信号の周波数を可変することによって切替可能である。また、ＳＤＲ−ＳＤＲＡＭ１６は低速動作及び高速動作の何れの状態においてもデータの読み書きが可能な状態であるが、低速動作時より高速動作時の方がデータ転送速度は速い。また、ＳＤＲ−ＳＤＲＡＭ１６における高速動作時よりＤＤＲ−ＳＤＲＡＭ１５の通常動作時の方がデータ転送速度は速い。
【００２３】
ＣＰＵ３０はシャッタボタン１９を含む各種操作ボタンの操作や各種機能ブロックからの信号に応じて、デジタルカメラ１００の本体各部を制御する。データバス３１にはＣＰＵ３０、ＤＤＲ制御部２８及びＳＤＲ制御部２９が接続されており、このデータバス３１を介して各種信号、データの送受信が行われる。
【００２４】
上記で説明した撮像制御部２１、動画処理部２２、信号処理部２３、圧縮／伸長処理部２４、表示制御部２５、記憶制御部２６、ＤＭＡコントローラ２７、ＤＤＲ制御部２８、ＳＤＲ制御部２９、ＣＰＵ３０及びデータバス３１は１チップのＬＳＩ２００に搭載されている。
【００２５】
ＲＯＭ１７は、プログラムやデータ等が予め記憶されている記憶媒体であり、半導体メモリ等によって構成されている。ＲＯＭ１７はデータバス１８を介してＳＤＲ−ＳＤＲＡＭ１６及びＳＤＲ制御部２９と接続されており、ＲＯＭ１７に記憶されているプログラムやデータが必要に応じて読み出されてＳＤＲ−ＳＤＲＡＭ１６に一時的に記憶される。そしてＣＰＵ３０によってプログラムが読み出されて、プログラムに応じた処理が実行される。
【００２６】
シャッタボタン１９は、ユーザが撮影開始の指示を行うためのものであり、シャッタボタン１９が押下されると押下信号がＣＰＵ３０に出力される。尚、本実施の形態ではシャッタボタン１９は半押し（Ｓ１）と全押し（Ｓ２）の２段階で動作するものとして説明する。Ｓ１状態では被写体に対する最適な合焦位置、露出条件、ホワイトバランス等の決定がなされ、Ｓ２状態で撮影が行われる。
【００２７】
図２は本実施の形態におけるデジタルカメラ１００の処理の一般的な流れと、ＳＤＲ−ＳＤＲＡＭ１６及びＤＤＲ−ＳＤＲＡＭ１５の動作の切り替えタイミングを示した図である。図３は各データの流れを説明するための図である。図２及び図３を用いて、処理の流れについて具体的に説明する。
【００２８】
図２に示すように、ＳＤＲ−ＳＤＲＡＭ１６を高速動作させると消費電力が増加するため、撮影待機中（Ｓ１操作前）は低速動作とし、シャッタボタン１９がＳ１状態になった時点から取得された画像データの外部記憶媒体１４への記憶が終了するまでの間のみ高速動作させる。同様に、ＤＤＲ−ＳＤＲＡＭ１６を通常動作させると消費電力が増加するため、露光後においてデータ転送速度の高速化が要求される処理をする間のみ通常動作とし、それ以外は低消費電力動作とする。また以下で示す各データがＤＤＲ−ＳＤＲＡＭ１５、ＳＤＲ−ＳＤＲＡＭ１６の何れに一時記憶されるかは、ＤＭＡコントローラ２７によって判別されて制御が行われる。
【００２９】
図２に示すように、撮影待機中はスルー画が表示される。このとき、ＳＤＲ−ＳＤＲＡＭ１６は低速動作、ＤＤＲ−ＳＤＲＡＭ１５は低消費電力動作である。そしてＣＣＤ１１は例えば６０フレーム／秒の周期で取得した画像データをＡ／Ｄ変換部１２を介して撮像制御部２１へ出力する。撮像制御部２１はこの画像データを動画処理部２２へ出力する（図３の矢印Ｙ１）。動画処理部２２はこの画像データに対して動画用の信号処理を行ってＳＤＲ−ＳＤＲＡＭ１６へ出力し（矢印Ｙ２）、ＳＤＲ−ＳＤＲＡＭ１６には画像データ５２が記憶される。この画像データ５２とＲＯＭ１７から読み出されてＳＤＲ−ＳＤＲＡＭ１６に記憶されたＯＳＤデータ５３は表示制御部２５へ出力される（矢印Ｙ３、Ｙ４）。表示制御部２５は画像データ５２とＯＳＤデータ５３を合成して表示画面１３にスルー画を表示させる。
【００３０】
次に、図２に示すように、シャッタボタン１９がＳ１操作されると、ＳＤＲ−ＳＤＲＡＭ１６はＳＤＲ制御部２９によって低速動作から高速動作に切り替えられる。そして、ＣＰＵ３０は被写体に対するＡＥ（自動露出）、ＡＦ（オートフォーカス）及びＡＷＢ（オートホワイトバランス）等を決定するプログラム等をＳＤＲ−ＳＤＲＡＭ１６から読み出し（矢印Ｙ５）、ＡＥ、ＡＦ及びＡＷＢ処理を行う（図２の処理Ｐ１１）。ここで所定時間以内にシャッタボタン１９がＳ２操作されなかった場合、ＳＤＲ制御部２９はＳＤＲ−ＳＤＲＡＭ１６を再び低速動作に切り替えてもよい。
【００３１】
シャッタボタン１９がＳ２状態に操作されると、ＤＤＲ−ＳＤＲＡＭ１５はＤＤＲ制御部２８によって低消費電力動作から通常動作に切り替えられる。そしてＣＣＤ１１や光学系（不図示）等によって露光処理が行われ（処理Ｐ１２）、ＣＣＤ１１によって取得された画像データは撮影画像データとして撮像制御部２１へ出力される。撮影制御部２１はこの撮影画像データをＤＤＲ−ＳＤＲＡＭ１５へ出力し（矢印Ｙ６）、ＤＤＲ−ＳＤＲＡＭ１５には撮影画像データ４１が記憶される。図２の取り込み処理（処理Ｐ１３）は、ＣＣＤ１１から画像データが出力されてから撮影画像データ４１がＤＤＲ−ＳＤＲＡＭ１５に記憶されるまでの処理のことを言う。
【００３２】
ここで、スルー画用の画像データ５２は高画質である必要がないため、ＣＣＤ１１からはラインの間引き等が行われて蓄積された電荷が出力される。しかし撮影時に取得した画像データには高画質であることが要求されるため、ラインの間引きは行わず、全ラインから電荷が出力される。従ってＣＣＤ１１から出力される画像データのデータ量はスルー画表示時より撮影時の方が多い。このため、撮影時に取得された画像データの一時記憶先をＳＤＲ−ＳＤＲＡＭ１６よりデータ転送速度の速くてバス帯域の広いＤＤＲ−ＳＤＲＡＭ１５とすることによって、データ転送の高速化を図ることができる。
【００３３】
また、撮影時に取得された撮影画像データは撮像制御部２１によってデータの間引き等が行われて動画処理部２２及び表示制御部２５を介して表示画面１３に出力され、撮影画像データの示す画像が所定時間表示される（ポストビュー）。ポストビュー表示が終わると、再びスルー画表示が行われる。
【００３４】
次に、ＤＤＲ−ＳＤＲＡＭ１５に記憶された撮影画像データ４１は、信号処理部２３へ出力され（矢印Ｙ７）、信号処理が施される（処理Ｐ１４）。信号処理後のデータはＹＣデータ４２として再びＤＤＲ−ＳＤＲＡＭ１５に記憶される（矢印Ｙ８）。そしてＹＣデータ４２は圧縮／伸長処理部２４へ出力されて（矢印Ｙ９）圧縮処理が施され（処理Ｐ１５）、圧縮処理後のデータは圧縮画像データ５４としてＳＤＲ−ＳＤＲＡＭ５４に記憶される（矢印Ｙ１０）。圧縮画像データ５４は撮影画像データ４２やＹＣデータ４２のようにデータ量が多くないため、一時記憶先はＤＤＲ−ＳＤＲＡＭ１５ではなくＳＤＲ−ＳＤＲＡＭ１６でよい。この圧縮処理（処理Ｐ１５）が終了すると、ＤＤＲ−ＳＤＲＡＭ１５はＤＤＲ制御部２８によって通常動作から低消費電力動作に切り替えられる。
【００３５】
ＳＤＲ−ＳＤＲＡＭ１６に記憶された圧縮画像データ５４は記憶制御部２６に出力され（矢印Ｙ１１）、記憶制御部２６によって外部記憶媒体１４に記憶される（処理Ｐ１６）。この記憶処理（処理Ｐ１６）が終了すると、ＳＤＲ−ＳＤＲＡＭ１６はＳＤＲ制御部２９によって高速動作から低速動作に切り替えられる。
【００３６】
ＤＤＲ−ＳＤＲＡＭ１５はデータの高速転送が可能であることが特徴であるが、撮影に係る全てのデータの一時記憶先としてＤＤＲ−ＳＤＲＡＭ１５を採用すると、ＤＤＲ−ＳＤＲＡＭ１５の動作時間が長くなって消費電力が増加し、デジタルカメラ１００の電源電池の消耗を早めてしまうため好ましくない。そこで上記で説明したように、撮影画像データ４１やＹＣデータ４２等のデータ量の多いデータのみＤＤＲ−ＳＤＲＡＭ１５に記憶させ、少なくとも撮影画像データ４１やＹＣデータ４２のデータ転送が行われる間はＤＤＲ−ＳＤＲＡＭ１５を通常動作とし、それ以外は低消費電力動作とすることによって、ＤＤＲ−ＳＤＲＡＭ１５の搭載による消費電力の増加を最小限に抑えることができる。更に、処理の高速化を図ることができ、撮影に係る処理時間を短縮することができる。
【００３７】
〔第２の実施の形態〕
第１の実施の形態では、撮影に係るデータの一時記憶先としてＳＤＲ−ＳＤＲＡＭ１６及びＤＤＲ−ＳＤＲＡＭ１５の２つのＳＤＲＡＭを常に並行して用いる場合について説明した。第２の実施の形態では、シャッタボタン１９のＳ２操作が連続して行われた場合のみＳＤＲ−ＳＤＲＡＭ１６及びＤＤＲ−ＳＤＲＡＭ１５の２つのＳＤＲＡＭを用いる場合について説明する。尚、本実施の形態におけるデジタルカメラ１００の構成は、第１の実施の形態において説明した図１のブロック図と同一であるため、説明を省略する。
【００３８】
図４は、本実施の形態におけるデジタルカメラ１００の処理の一般的な流れと、ＳＤＲ−ＳＤＲＡＭ１６及びＤＤＲ−ＳＤＲＡＭ１５の動作の切り替えタイミングを示した図である。図５は、本実施の形態における各データの流れを説明するための図である。図４及び図５を用いて、本実施の形態における処理の流れについて説明する。
【００３９】
撮影待機中はスルー画が表示される。このとき、ＳＤＲ−ＳＤＲＡＭ１６は低速動作、ＤＤＲ−ＳＤＲＡＭ１５は低消費電力動作である。そしてＣＣＤ１１は例えば６０フレーム／秒の周期で取得した画像データをＡ／Ｄ変換部１２を介して撮像制御部２１へ出力する。撮像制御部２１はこの画像データを動画処理部２２へ出力する（矢印Ｚ１）。動画処理部２２はこの画像データに対して動画用の信号処理を行ってＳＤＲ−ＳＤＲＡＭ１６へ出力し（矢印Ｚ２）、ＳＤＲ−ＳＤＲＡＭ１６は画像データ５２を記憶する。この画像データ５２とＲＯＭ１７から読み出されてＳＤＲ−ＳＤＲＡＭ１６に記憶されたＯＳＤデータ５３は表示制御部２５へ出力される（矢印Ｚ３、Ｚ４）。表示制御部２５は画像データ５２とＯＳＤデータ５３を合成して表示画面１３にスルー画を表示させる。
【００４０】
ここで、図４においては、１回目のＳ２操作後、信号処理（処理Ｐ２４）中に連続してＳ２操作された場合について示しているが、まずＳ２操作が連続して行われなかった場合について説明する。また図５において実線で示した矢印Ｚ６〜Ｚ９、撮影画像データ４１及びＹＣデータ４２は、Ｓ２操作が連続して行われなかった場合について示したものであり、一点鎖線で示した矢印Ｚ１２〜１５、撮影画像データ４１ａ及びＹＣデータ４２ａはＳ２操作が連続して行われた場合について示したものである。
【００４１】
図４に示すように、シャッタボタン１９がＳ１状態に操作されると、ＳＤＲ−ＳＤＲＡＭ１６はＳＤＲ制御部２９によって低速動作から高速動作に切り替えられる。そして、ＣＰＵ３０は被写体に対するＡＥ、ＡＦ及びＡＷＢ等を決定するプログラム等をＳＤＲ−ＳＤＲＡＭ１６から読み出し（矢印Ｚ５）、ＡＥ、ＡＦ及びＡＷＢ処理を行う（処理Ｐ２１）。ここで所定時間以内にシャッタボタン１９がＳ２状態に操作されない場合、ＳＤＲ制御部２９はＳＤＲ−ＳＤＲＡＭ１６を再び低速動作に切り替えてもよい。
【００４２】
そしてＣＣＤ１１や光学系（不図示）等によって露光処理が行われ（処理Ｐ２２）、ＣＣＤ１１によって取得された画像データは撮影画像データとして撮像制御部２１へ出力される。撮影制御部２１はこの撮影画像データをＳＤＲ−ＳＤＲＡＭ１６へ出力し（矢印Ｚ６）、ＳＤＲ−ＳＤＲＡＭ１６には撮影画像データ４１が記憶される（取り込み処理（処理Ｐ２３））。
【００４３】
次に、ＳＤＲ−ＳＤＲＡＭ１６に記憶された撮影画像データ４１は、信号処理部２３へ出力され（矢印Ｚ７）、信号処理が施される（処理Ｐ２４）。信号処理後のデータはＹＣデータ４２として再びＳＤＲ−ＳＤＲＡＭ１６に記憶される（矢印Ｚ８）。そしてＹＣデータ４２は圧縮／伸長処理部２４へ出力されて（矢印Ｚ９）圧縮処理が施され（処理Ｐ２５）、圧縮処理後のデータは圧縮画像データ５４としてＳＤＲ−ＳＤＲＡＭ５４に記憶される（矢印Ｚ１０）。ＳＤＲ−ＳＤＲＡＭ１６に記憶された圧縮画像データ５４は記憶制御部２６に出力され（矢印Ｚ１１）、記憶制御部２６によって外部記憶媒体１４に記憶される（処理Ｐ２６）。
【００４４】
つまり、Ｓ２操作が連続して行われなかった場合は、各データの一時記憶先としてＤＤＲ−ＳＤＲＡＭ１５を用いずＳＤＲ−ＳＤＲＡＭ１６のみを用いる。第１の実施の形態のようにＳＤＲ−ＳＤＲＡＭ１６とＤＤＲ−ＳＤＲＡＭ１５を並行して用いる場合に比べてデータ転送速度が落ちるため処理時間の短縮化は図れないが、ＤＤＲ−ＳＤＲＡＭ１５を用いないため消費電力の増加を抑えることができる。
【００４５】
しかし、Ｓ２操作が連続して行われると、データ量の多い撮影画像データ４１やＹＣデータ４２を連続して処理する必要があるため、ＳＤＲ−ＳＤＲＡＭ１６のみを用いて処理すると処理時間の増加を招く。そこで、データ量の多いデータを扱う処理中にＳ２操作がなされた場合は、ＤＤＲ−ＳＤＲＡＭ１５を通常動作に切り替え、ＳＤＲ−ＳＤＲＡＭ１６と並行して用いることとする。具体的には、撮影画像データの取り込み処理（処理Ｐ２３）から圧縮処理（処理Ｐ２５）の間に２回目のＳ２操作がなされたとき、その２回目のＳ２操作に応答してＤＤＲ−ＳＤＲＡＭ１５が低消費電力動作から通常動作に切り替えられるようにする。
【００４６】
以下、図４に示すように、１回目のＳ２操作に係る信号処理（処理Ｐ２４）の間に２回目のＳ２操作がなされた場合について説明する。ここで、１回目のＳ２操作に係る信号処理（処理Ｐ２４）後のＹＣデータ４２の転送先はＳＤＲ−ＳＤＲＡＭ１６、ＤＤＲ−ＳＤＲＡＭ１５の何れであってもよい。
【００４７】
２回目のＳ２操作に係る露光処理（処理Ｐ３１）後、ＣＣＤ１１によって取得された画像データは撮影画像データとして撮像制御部２１へ出力される。撮影制御部２１はこの撮影画像データをＤＤＲ−ＳＤＲＡＭ１５へ出力し（矢印Ｚ１２）、ＤＤＲ−ＳＤＲＡＭ１５には撮影画像データ４１ａが記憶される（取り込み処理（処理Ｐ３２））。
【００４８】
次に、ＤＤＲ−ＳＤＲＡＭ１５に記憶された撮影画像データ４１ａは、信号処理部２３へ出力され（矢印Ｚ１３）、信号処理が施される（処理Ｐ３３）。信号処理後のデータはＹＣデータ４２ａとして再びＤＤＲ−ＳＤＲＡＭ１５に記憶される（矢印Ｚ１４）。そしてＹＣデータ４２ａは圧縮／伸長処理部２４へ出力されて（矢印Ｚ１５）圧縮処理が施され（処理Ｐ３４）、圧縮処理後のデータは圧縮画像データ５４としてＳＤＲ−ＳＤＲＡＭ５４に記憶される（矢印Ｚ１０）。圧縮処理（処理Ｐ３４）の終了と同時に、ＤＤＲ−ＳＤＲＡＭ１５はＤＤＲ制御部２８によって通常動作から低消費電力動作に切り替えられる。ＳＤＲ−ＳＤＲＡＭ１６に記憶された圧縮画像データ５４は記憶制御部２６に出力され（矢印Ｚ１１）、記憶制御部２６によって外部記憶媒体１４に対する記憶処理が行われる（処理Ｐ３５）。この記憶処理（処理Ｐ３５）が終了すると、ＳＤＲ−ＳＤＲＡＭ１６はＳＤＲ制御部２９によって高速動作から低速動作に切り替えられる。
【００４９】
このように、Ｓ２操作が連続して行われない場合は、各データの一時記憶先としてＳＤＲ−ＳＤＲＡＭ１６のみを用い、Ｓ２操作が連続して行われたときのみＳＤＲ−ＳＤＲＡＭ１６とＤＤＲ−ＳＤＲＡＭ１５を並行して用いることにより、ＤＤＲ−ＳＤＲＡＭ１５の通常動作時間を短くして消費電力の増加を抑えることができると共に、負荷の重い処理にかかる処理時間を短縮させることができる。
【００５０】
〔第３の実施の形態〕
第１の実施の形態では、撮影後の各種処理におけるデータの一時記憶先としてＳＤＲ−ＳＤＲＡＭ１６及びＤＤＲ−ＳＤＲＡＭ１５の２つのＳＤＲＡＭを常に並行して用いる場合について説明し、第２の実施の形態では、シャッタボタン１９のＳ２操作が連続して行われた場合のみＳＤＲ−ＳＤＲＡＭ１６及びＤＤＲ−ＳＤＲＡＭ１５の２つのＳＤＲＡＭを用いる場合について説明した。第３の実施の形態では、撮影モードが連写撮影モード（シャッタボタン１９がＳ２状態になってから解放されるまで、連続して撮影を行う）の場合のみＳＤＲ−ＳＤＲＡＭ１６及びＤＤＲ−ＳＤＲＡＭ１５の２つのＳＤＲＡＭを用いる場合について説明する。尚、本実施の形態におけるデジタルカメラ１００の構成は、第１の実施の形態において説明した図１のブロック図と同一であるため、説明を省略する。
【００５１】
図６は、本実施の形態におけるデジタルカメラ１００の処理の一般的な流れと、ＳＤＲ−ＳＤＲＡＭ１６及びＤＤＲ−ＳＤＲＡＭ１５の動作の切り替えタイミングを示した図である。また、本実施の形態におけるデータの流れを示した図は図５と同一であり、図５において実線で示した各データ及びデータの流れを示す矢印は撮影モードが通常撮影モード（１回のＳ２操作につき、１回の撮影を行う）の場合、一点鎖線で示したデータ及びデータの流れを示す矢印は撮影モードが連写撮影モードの場合について示している。図５及び図６を用いて、本実施の形態における処理の流れについて説明する。
【００５２】
まず、撮影待機中はスルー画が表示される。このとき、ＳＤＲ−ＳＤＲＡＭ１６は低速動作、ＤＤＲ−ＳＤＲＡＭ１５は低消費電力動作である。この間、ＣＣＤ１１は例えば６０フレーム／秒の周期で取得した画像データをＡ／Ｄ変換部１２を介して撮像制御部２１へ出力する。撮像制御部２１はこの画像データを動画処理部２２へ出力する（矢印Ｚ１）。動画処理部２２はこの画像データに対して動画用の信号処理を行ってＳＤＲ−ＳＤＲＡＭ１６へ出力し（矢印Ｚ２）、ＳＤＲ−ＳＤＲＡＭ１６には画像データ５２が記憶される。この画像データ５２とＲＯＭ１７から読み出されてＳＤＲ−ＳＤＲＡＭ１６に記憶されたＯＳＤデータ５３は表示制御部２５へ出力される（矢印Ｚ３、Ｚ４）。表示制御部２５は画像データ５２とＯＳＤデータ５３を合成して表示画面１３にスルー画を表示させる。
【００５３】
ここで、撮影モードが通常撮影モードの場合、シャッタボタン１９によるＳ１操作後にＳＤＲ−ＳＤＲＡＭ１６が低速動作から高速動作に切り替えられ、Ｓ２操作後に露光処理が行われてから圧縮画像データが外部記憶媒体１４に記憶されるまでの処理の間、各データの一時記憶先としてＳＤＲ−ＳＤＲＡＭ１６が用いられる。記憶処理終了後、ＳＤＲ−ＳＤＲＡＭ１６は低速動作に切り替えられる。その間、ＤＤＲ−ＳＤＲＡＭ１５は低消費電力動作のままとする。
【００５４】
しかし、撮影モードが連写撮影モードの場合、露光処理後の各処理が繰り返し並行して実行されるため、データ量の増加によるバス帯域の確保、データ転送の高速化が要求される。従って、撮影モードが連写撮影モードの場合のみ、ＳＤＲ−ＳＤＲＡＭ１６とＤＤＲ−ＳＤＲＡＭ１５とを並行して用いる。撮影モードの選択はデジタルカメラ１００の本体に装備されているモードダイヤル（不図示）等によって行われ、その選択信号がＣＰＵ３０（選択受付手段）に入力されて撮影モードの判別が行われる。
【００５５】
以下、連写撮影モードの場合の処理の流れについて説明する。シャッタボタン１９がＳ１状態に操作されると、ＳＤＲ−ＳＤＲＡＭ１６はＳＤＲ制御部２９によって低速動作から高速動作に切り替えられる。そして、ＣＰＵ３０は被写体に対するＡＥ、ＡＦ及びＡＷＢ等を決定するプログラム等をＳＤＲ−ＳＤＲＡＭ１６から読み出し（矢印Ｚ５）、ＡＥ、ＡＦ及びＡＷＢ処理を行う（処理Ｐ４１）。ここで所定時間以内にシャッタボタン１９がＳ２状態に操作されない場合、ＳＤＲ−ＳＤＲＡＭ１６は再び低速動作に切り替えられるようにしてもよい。
【００５６】
そしてＣＣＤ１１や光学系（不図示）等によって露光処理が行われ（処理Ｐ４２）、ＣＣＤ１１によって取得された画像データは撮影画像データとして撮像制御部２１へ出力される。この露光処理の開始と同時に、ＤＤＲ−ＳＤＲＡＭ１５はＤＤＲ制御部２８によって低消費電力動作から通常動作に切り替えられる。撮影制御部２１は撮影画像データをＤＤＲ−ＳＤＲＡＭ１５へ出力し（矢印Ｚ１２）、ＤＤＲ−ＳＤＲＡＭ１５には撮影画像データ４１ａが記憶される（取り込み処理（処理Ｐ４３））。
【００５７】
次に、ＤＤＲ−ＳＤＲＡＭ１５に記憶された撮影画像データ４１ａは、信号処理部２３へ出力され（矢印Ｚ１３）、信号処理が施される（処理Ｐ４４）。信号処理後のデータはＹＣデータ４２ａとして再びＤＤＲ−ＳＤＲＡＭ１５に記憶される（矢印Ｚ１４）。そしてＹＣデータ４２ａは圧縮／伸長処理部２４へ出力されて（矢印Ｚ１５）圧縮処理が施され（処理Ｐ４５）、圧縮処理後のデータは圧縮画像データ５４としてＳＤＲ−ＳＤＲＡＭ５４に記憶される（矢印Ｚ１０）。ＳＤＲ−ＳＤＲＡＭ１６に記憶された圧縮画像データ５４は記憶制御部２６に出力され（矢印Ｚ１１）、記憶制御部２６によって外部記憶媒体１４に記憶される（処理Ｐ４６）。
【００５８】
一方、上記取り込み処理（処理Ｐ４３）の終了時においてシャッタボタン１９がＳ２状態である場合は取り込み処理直後に再び露光処理（処理Ｐ５１）が行われる。この露光処理（処理Ｐ５１）に係る取り込み処理（処理Ｐ５２）、信号処理（処理Ｐ５３）、圧縮処理（処理Ｐ５４）及び記録処理（処理Ｐ５５）におけるデータの流れは上記した流れと同一であり、ＣＰＵ３０によってシャッタボタン１９のＳ２状態からの解放が検知されるまで露光処理が繰り返される。そして最後の露出に係る圧縮処理（処理Ｐ６４）の終了と同時にＤＤＲ−ＳＤＲＡＭ１５はＤＤＲ制御部２８によって通常動作から低消費電力動作に切り替えられ、最後の露出に係る記録処理（処理Ｐ６５）の終了と同時にＳＤＲ−ＳＤＲＡＭ１６はＳＤＲ制御部２９によって高速動作から低速動作に切り替えられる。
【００５９】
このように、撮影モードが通常撮影モードの場合は、各データの一時記憶先としてＤＤＲ−ＳＤＲＡＭ１５を用いずＳＤＲ−ＳＤＲＡＭ１６のみを用いる。ＳＤＲ−ＳＤＲＡＭ１６とＤＤＲ−ＳＤＲＡＭ１５を並行して用いる場合に比べてデータ転送速度が落ちるため処理時間の短縮化は図れないが、ＤＤＲ−ＳＤＲＡＭ１５を用いないため消費電力の増加を抑えることができる。
【００６０】
一方、撮影モードが連写撮影モードの場合、データ量の多い撮影画像データ４１やＹＣデータ４２を並行して処理する必要があり、ＳＤＲ−ＳＤＲＡＭ１６のみを用いて処理すると処理時間の増加を招くため、ＤＤＲ−ＳＤＲＡＭ１５とＳＤＲ−ＳＤＲＡＭ１６を並行して用いる。このようにすることによって、ＤＤＲ−ＳＤＲＡＭ１５の通常動作時間を最小限に抑えて消費電力の増加を抑えつつも、負荷の重い処理にかかる時間を短縮させることができる。
【図面の簡単な説明】
【００６１】
【図１】デジタルカメラの機能ブロック図
【図２】第１の実施の形態における処理の流れを示した図
【図３】第１の実施の形態における各データの流れを示した図
【図４】第２の実施の形態における処理の流れを示した図
【図５】第２の実施の形態における各データの流れを示した図
【図６】第３の実施の形態における処理の流れを示した図
【符号の説明】
【００６２】
１００  デジタルカメラ
１１    ＣＣＤ
１２    Ａ／Ｄ変換部
１３    表示画面
１５    ＤＤＲ−ＳＤＲＡＭ
１６    ＳＤＲ−ＳＤＲＡＭ
１７    ＲＯＭ
１９    シャッタボタン
２１    撮像制御部
２２    動画処理部
２３    信号処理部
２４    圧縮／伸長処理部
２５    表示制御部
２６    記憶制御部
２７    ＤＭＡコントローラ
２８    ＤＤＲ制御部
２９    ＳＤＲ制御部
３０    ＣＰＵ
１８、３１    データバス
１４    外部記憶媒体
【図１】
2008035161.tif 000003
【図２】
2008035161.tif 000004
【図３】
2008035161.tif 000005
【図４】
2008035161.tif 000006
【図５】
2008035161.tif 000007
【図６】
2008035161.tif 000008